(57)【特許請求の範囲】
【請求項１】
金属製の外殻部材と繊維強化プラスチック製の外殻部材とを接合して中空構造のヘッド本体を構成した中空ゴルフクラブヘッドであって、前記金属製の外殻部材の接合部に前記繊維強化プラスチック製の外殻部材の接合部を接着すると共に、前記金属製の外殻部材の接合部に貫通穴を設け、該貫通穴を介して繊維強化プラスチック製の縫合材を前記金属製外殻部材の前記繊維強化プラスチック製外殻部材との接着界面側とその反対面側とに通して前記繊維強化プラスチック製の外殻部材と前記金属製の外殻部材とを結合したことを特徴とする中空ゴルフクラブヘッド。
【請求項２】
前記金属製の外殻部材の接合部の表面粗さＲａが０．５〜２．０である請求項１に記載の中空ゴルフクラブヘッド。
【請求項３】
前記繊維強化プラスチックの繊維が炭素繊維である請求項１〜２のいずれかに記載の中空ゴルフクラブヘッド。
【請求項４】
前記金属製の外殻部材が前記ヘッド本体のフェース部、ソール部及びネック部を構成し、前記繊維強化プラスチック製の外殻部材が前記ヘッド本体のクラウン部を構成する請求項１〜３のいずれかに記載の中空ゴルフクラブヘッド。
【発明の詳細な説明】
【０００１】
【発明の属する技術分野】
本発明は、中空構造を有するゴルフクラブヘッドに関し、更に詳しくは、金属製の外殻部材と繊維強化プラスチック製の外殻部材との接合強度を高めるようにした中空ゴルフクラブヘッドに関する。
【０００２】
【従来の技術】
例えば、特許第２７６４８８３号公報、特開２０００−２２９１３５号公報、特許第２７７３００９号公報には、異種素材を複合してなるゴルフクラブヘッドが開示されている。このようなゴルフクラブヘッドによれば、金属材料や樹脂材料の組み合わせに基づいて重心位置を任意に設定したり、限られたヘッド質量の中でヘッド体積を最大限に大きくすることができるなどの利点があり、飛びや方向性を含むゴルフクラブ性能の向上が可能である。
【０００３】
しかしながら、金属製の外殻部材と繊維強化プラスチック製の外殻部材とを接合して中空構造のヘッド本体を構成しようとした場合、その接合強度が十分に得られず、ゴルフクラブヘッドとしての耐久性を確保することが極めて困難であった。
【０００４】
【発明が解決しようとする課題】
本発明の目的は、金属製の外殻部材と繊維強化プラスチック製の外殻部材との接合強度を高めることを可能にした中空ゴルフクラブヘッドを提供することにある。
【０００５】
【課題を解決するための手段】
上記目的を達成するための本発明の中空ゴルフクラブヘッドは、金属製の外殻部材と繊維強化プラスチック製の外殻部材とを接合して中空構造のヘッド本体を構成した中空ゴルフクラブヘッドであって、前記金属製の外殻部材の接合部に前記繊維強化プラスチック製の外殻部材の接合部を接着すると共に、前記金属製の外殻部材の接合部に貫通穴を設け、該貫通穴を介して繊維強化プラスチック製の縫合材を前記金属製外殻部材の前記繊維強化プラスチック製外殻部材との接着界面側とその反対面側とに通して前記繊維強化プラスチック製の外殻部材と前記金属製の外殻部材とを結合したことを特徴とするものである。
【０００６】
このように金属製の外殻部材の接合部に繊維強化プラスチック製の外殻部材の接合部を接着すると共に、金属製の外殻部材の接合部に貫通穴を設け、該貫通穴に繊維強化プラスチック製の縫合材を通し、該縫合材により繊維強化プラスチック製の外殻部材と金属製の外殻部材とを結合したことにより、これら異種素材からなる外殻部材の接合強度を高めることが可能になる。従って、ゴルフクラブヘッドとしての耐久性を確保しながら、異種素材の組み合わせに基づいて飛びを含むゴルフクラブ性能を向上することが可能になる。
【０００７】
本発明において、金属製の外殻部材と繊維強化プラスチック製の外殻部材との接合強度を更に高めるために、金属製の外殻部材の接合部の表面粗さＲａは０．５〜２．０であることが好ましい。また、繊維強化プラスチックの繊維としては、炭素繊維を使用することが好ましい。
【０００８】
【発明の実施の形態】
以下、本発明の構成について添付の図面を参照しながら詳細に説明する。
【０００９】
図１（ａ）〜（ｃ）は本発明の実施形態からなるゴルフクラブヘッドを示すものである。図１（ａ）〜（ｃ）に示すように、本実施形態のゴルフクラブヘッドは、フェース部、ソール部及びネック部をなす金属製の外殻部材１１と、クラウン部をなす繊維強化プラスチック製の外殻部材２１とを接合してなる中空構造のヘッド本体１を備えている。
【００１０】
上記中空ゴルフクラブヘッドでは、異種素材の組み合わせに基づいて重心位置を任意に設定したり、限られたヘッド質量の中でヘッド体積を最大限に大きくすることが可能であり、それによって飛びを含むゴルフクラブ性能の向上が可能であるが、金属製の外殻部材１１と繊維強化プラスチック製の外殻部材２１とを単に重ね合わせて接着しただけでは、その接合強度が不十分である。そこで、本発明では以下に述べる接合形態で、これら異種素材の外殻部材を高い強度で複合するのである。
【００１１】
図２（ａ），（ｂ）の接合形態では、金属製の外殻部材１１の接合部１１ａに繊維強化プラスチック製の外殻部材２１の接合部２１ａを接着し、かつ金属製の外殻部材１１の接合部１１ａに複数の貫通穴１３設け、該貫通穴１３に繊維強化プラスチック製の縫合材２２を通し、該縫合材２２により繊維強化プラスチック製の外殻部材２１と金属製の外殻部材１１とを結合している。上記接合形態によれば、縫合材２２が金属製の外殻部材１１に対して繊維強化プラスチック製の外殻部材２１を強固に結び付けるため、ゴルフクラブヘッドとして十分な耐久性が得られる。なお、外殻部材２１と縫合材２２はプラスチック同士であって相互接着性が良好であるため図示のように互いに密着するだけで良い。
【００１２】
外殻部材１１の材料としては、チタン合金、アルミニウム合金、ステンレス鋼等の金属を使用することができる。
【００１３】
外殻部材１２の材料としては、炭素繊維、ガラス繊維、アラミド繊維等の強化繊維に、エポキシ樹脂、不飽和ポリエステル樹脂、ビニルエステル樹脂等のマトリックス樹脂を含浸させてなる繊維強化プラスチックを使用することができ、特に炭素繊維を強化繊維とするものが好ましい。
【００１４】
また、金属製の外殻部材１１と繊維強化プラスチック製の外殻部材２１との接合強度を更に高めるために、金属製の外殻部材１１の接合部１１ａは研磨加工等によって表面粗さＲａを０．５〜２．０とすることが好ましい。
【００１５】
上述した実施形態ではフェース部、ソール部及びネック部をなす金属製の外殻部材と、クラウン部をなす繊維強化プラスチック製の外殻部材とを接合して中空構造のヘッド本体を形成した場合について説明したが、本発明ではヘッド本体において金属製の外殻部材が占める部分と繊維強化プラスチック製の外殻部材が占める部分は特に限定されるものではない。
【００１６】
【実施例】
金属製の外殻部材と繊維強化プラスチック製の外殻部材とを接合して中空構造のヘッド本体を構成した中空ゴルフクラブヘッドにおいて、その接合形態を種々異ならせた比較例１（従来例）及び実施例１をそれぞれ作製した。
【００１７】
これらゴルフクラブヘッドについて、接合部の耐久性を評価し、その結果を表１に示した。評価結果は、比較例１を１００とする指数にて示した。接合部の耐久性については、指数値が大きいほど耐久性が良好であることを意味する。
【００１８】
【表１】
0003725481.tif 000002
この表１から判るように、実施例１のゴルフクラブヘッドは、比較例１に比べて、接合部の耐久性が優れていた。
【００１９】
【発明の効果】
以上説明したように本発明によれば、金属製の外殻部材と繊維強化プラスチック製の外殻部材とを接合して中空構造のヘッド本体を構成するに際して、金属製の外殻部材の接合部に繊維強化プラスチック製の外殻部材の接合部を接着すると共に、金属製の外殻部材の接合部に貫通穴を設け、該貫通穴を介して繊維強化プラスチック製の縫合材を金属製外殻部材の繊維強化プラスチック製外殻部材との接着界面側とその反対面側とに通して繊維強化プラスチック製の外殻部材と金属製の外殻部材とを結合したから、金属製の外殻部材と繊維強化プラスチック製の外殻部材との接合強度を高めることができる。従って、ゴルフクラブヘッドとしての耐久性を確保しながら、異種素材の組み合わせに基づいて飛びを含むゴルフクラブ性能を向上することが可能になる。
【図面の簡単な説明】
【図１】  本発明の実施形態からなるゴルフクラブヘッドを示し、（ａ）は平面図、（ｂ）は正面図、（ｃ）はＡ−Ａ矢視断面図である。
【図２】  本発明のゴルフクラブヘッドにおける接合形態を示し、（ａ）は平面図、（ｂ）は断面図である。
【符号の説明】
１  ヘッド本体
１１  金属製の外殻部材
１１ａ  金属製の外殻部材の接合部
１３  貫通穴
２１  繊維強化プラスチック製の外殻部材
２１ａ  繊維強化プラスチック製の外殻部材の接合部
２２  縫合材
【図１】
0003725481.tif 000003
【図２】
0003725481.tif 000004